(57)【要約】【課題】  発光表示装置のデータ駆動部に安定したデータ電圧を提供する基準電位安定化回路を有する発光表示装置用電源供給装置および発光表示装置を提供する。【解決手段】  外部から入力される外部電源の電圧（Ｖｃｉ）を安定化した直流基準電位（ＶＣＩＲ）に変換して出力する基準電位安定化部と，基準電位安定化部から出力される安定化した直流基準電位をデータ駆動部内に使用される複数の内部直流電源にそれぞれ変換する電圧変換部とを含んでなる。【選択図】    図５
2005338838.tif 000002
【特許請求の範囲】
【請求項１】
発光表示装置のデータ駆動部に電源を供給する電源供給装置において，
外部から入力される外部電源の電圧を安定化した直流基準電位に変換して出力する基準電位安定化部と；
前記基準電位安定化部から出力される前記安定化した直流基準電位を前記データ駆動部内に使用される複数の内部直流電源にそれぞれ変換する電圧変換部と；
を含んでなることを特徴とする，発光表示装置用電源供給装置。
【請求項２】
前記安定化した直流基準電位を直接使用するか，または前記データ駆動部内に使用される複数の内部直流電源に変換するように，前記安定化した直流基準電位をそれぞれ分配する制御部をさらに含むことを特徴とする，請求項１に記載の発光表示装置用電源供給装置。
【請求項３】
前記基準電位安定化部は，演算増幅器を用いて，前記外部から入力される外部電源の電圧を安定化させることを特徴とする，請求項１または２のいずれかに記載の発光表示装置用電源供給装置。
【請求項４】
前記演算増幅器は，前記データ駆動部に入力されるデータのオン／オフ電圧レベルを決定する電位電圧を調整して，単一値に固定された出力電圧を出力することを特徴とする，請求項３に記載の発光表示装置用電源供給装置。
【請求項５】
前記基準電位安定化部は，低電圧降下レギュレータを用いて，前記外部から入力される外部電源の電圧を安定化させることを特徴とする，請求項１，２，３または４のいずれかに記載の発光表示装置用電源供給装置。
【請求項６】
前記低電圧降下レギュレータは，出力端の内部に接続された抵抗により分配される電圧を，前記外部から入力される外部電源の電圧と比較して，単一値に固定された出力電圧を出力することを特徴とする，請求項５に記載の発光表示装置用電源供給装置。
【請求項７】
画像信号に対応するデータ電圧を伝達する複数のデータ線，選択信号を伝達する複数の走査線，および前記走査線と前記データ線に電気的に接続された複数の画素回路を含む発光表示装置において，
ｎ本の前記走査線にそれぞれ前記選択信号を順次印加する走査駆動部と；
ｍ本の前記データ線に，画像信号に対応する前記データ電圧を印加するデータ駆動部と；
Ｒ，Ｇ，Ｂ信号，クロック信号，垂直同期信号および水平同期信号を制御して前記走査駆動部および前記データ駆動部に順次提供するパネル制御部と；
前記走査駆動部，前記データ駆動部および前記パネル制御部に電源を供給し，外部から入力される外部電源の電圧を安定化した直流基準電位に変換し，前記安定化した直流基準電位を前記データ駆動部内に使用される複数の内部直流電源にそれぞれ変換して出力する電源供給装置と；
前記走査駆動部および前記データ駆動部により提供される信号，および前記電源供給装置により提供される電源により，ｎ×ｍ個の発光セルを駆動して映像を表示する表示パネルと；
を含んでなることを特徴とする，発光表示装置。
【請求項８】
発光表示装置のデータ駆動部に電源を供給する電源供給装置において，
外部基準電位を供給する外部基準電位供給部と；
外部から入力される外部電源の電圧が変動する場合，前記外部電源の電圧を安定化した直流基準電位に変換して出力する基準電位発生部と；
前記外部基準電位供給部または前記基準電位発生部から入力されるどちらか一つの基準電位を選択して出力する基準電位選択部と；
前記基準電位選択部から出力される安定化した基準電位を前記データ駆動部内に使用される複数の内部直流電源にそれぞれ変換する電圧変換部と；
を含んでなることを特徴とする，発光表示装置用電源供給装置。
【請求項９】
前記基準電位選択部から出力される前記安定化した基準電位を直接使用するか，または前記データ駆動部内に使用される複数の内部直流電源に変換するように，前記安定化した基準電位をそれぞれ分配する制御部をさらに含むことを特徴とする，請求項８に記載の発光表示装置用電源供給装置。
【請求項１０】
前記外部から入力される外部電源の電圧変動を判断する外部電源判断部をさらに含むことを特徴とする，請求項８または９のいずれかに記載の発光表示装置用電源供給装置。
【請求項１１】
前記基準電位発生部は，演算増幅器を用いて，前記外部から入力される外部電源の電圧を安定化させることを特徴とする，請求項８，９または１０のいずれかに記載の発光表示装置用電源供給装置。
【請求項１２】
前記演算増幅器は，前記データ駆動部に入力されるデータのオン／オフ電圧レベルを決定する電位電圧を調整して，単一値に固定された出力電圧を出力することを特徴とする，請求項１１に記載の発光表示装置用電源供給装置。
【請求項１３】
前記基準電位発生部は，低電圧降下レギュレータを用いて，前記外部から入力される外部電源の電圧を安定化させることを特徴とする，請求項８，９，１０，１１または１２のいずれかに記載の発光表示装置用電源供給装置。
【請求項１４】
前記低電圧降下レギュレータは，出力端の内部に接続された抵抗により分配される電圧を，前記外部から入力される外部電源の電圧と比較して，単一値に固定された出力電圧を出力することを特徴とする，請求項１３に記載の発光表示装置用電源供給装置。
【請求項１５】
画像信号に対応するデータ電圧を伝達する複数のデータ線，選択信号を伝達する複数の走査線，および前記走査線と前記データ線に電気的に接続された複数の画素回路を含む発光表示装置において，
ｎ本の前記走査線にそれぞれ前記選択信号を順次印加する走査駆動部と；
ｍ本の前記データ線に，画像信号に対応する前記データ電圧を印加するデータ駆動部と；
Ｒ，Ｇ，Ｂ信号，クロック信号，垂直同期信号および水平同期信号を制御して前記走査駆動部および前記データ駆動部に順次提供するパネル制御部と；
外部基準電位の入力を受けるか，あるいは外部から入力される外部電源の電圧を安定化した直流基準電位に変換し，前記外部基準電位または安定化した直流基準電位を選択し，前記選択された基準電位を前記データ駆動部内に使用される複数の内部直流電源にそれぞれ変換して出力する電源供給装置と；
前記走査駆動部および前記データ駆動部により提供される信号，および前記電源供給装置により提供される電源により，ｎ×ｍ個の発光セルを駆動して映像を表示する表示パネルと；
を含んでなることを特徴とする，発光表示装置。
【発明の詳細な説明】
【技術分野】
【０００１】
本発明は，発光表示装置用電源供給装置および発光表示装置に関するものである。
【背景技術】
【０００２】
有機ＥＬ（Ｏｒｇａｎｉｃ  Ｅｌｅｃｔｒｏ−Ｌｕｍｉｎｅｓｃｅｎｃｅ）表示装置は，電流が流れると光を放出する有機物質を画素別に分離してマトリックス状に配置し，この有機物質に流す電流量を調節することで画素を表示する装置である。かかる有機ＥＬ装置は，低電圧駆動，軽量，薄型，広視野角，および高速応答などの利点により，次世代表示装置として期待されている。
【０００３】
図１は，有機ＥＬの発光原理を示す図である。一般に，有機ＥＬ表示装置は蛍光性有機化合物を電気的に励起させて発光させる表示装置で，Ｎ×Ｍ個の有機発光セルを電圧駆動または電流駆動して映像を表現するようになっている。このような有機発光セル構造は，図１に示すように，Ｉｔｏ（Ｉｎｄｉｕｍ  Ｔｉｎ  Ｏｘｉｄｅ；インジウム酸化すず）画素電極，有機薄膜，および金属レイヤーの構造を有している。有機薄膜は，電子と正孔の均衡をうまくして発光効率を向上させるため，発光層（Ｅｍｉｔｔｉｎｇ  Ｌａｙｅｒ：ＥＭＬ），電子伝達層（Ｅｌｅｃｔｒｏｎ  Ｔｒａｎｓｐｏｒｔ  Ｌａｙｅｒ：ＥＴＬ），および正孔伝達層（Ｈｏｌｅ  Ｔｒａｎｓｐｏｒｔ  Ｌａｙｅｒ：ＨＴＬ）を含む多層構造になっているが，これらに加え，別の電子注入層（Ｅｌｅｃｔｒｏｎ  Ｉｎｊｅｃｔｉｎｇ  Ｌａｙｅｒ：ＥＩＬ）および正孔注入層（Ｈｏｌｅ  Ｉｎｊｅｃｔｉｎｇ  Ｌａｙｅｒ：ＨＩＬ）をさらに含むことができる。
【０００４】
このように構成される有機発光セルを駆動する方式には，パッシブマトリックス（ｐａｓｓｉｖｅ  ｍａｔｒｉｘ）方式とＴＦＴ（Ｔｈｉｎ  Ｆｉｌｍ  Ｔｒａｎｓｉｓｔｏｒ；薄膜トランジスタ）を用いるアクティブマトリックス（ａｃｔｉｖｅ  ｍａｔｒｉｘ）方式がある。パッシブマトリックス方式は，陽極と陰極を直交するように形成し，ラインを選択して駆動するものであるに対し，アクティブマトリックス方式は，ＴＦＴとキャパシタをそれぞれの画素電極に接続し，キャパシタ容量により電圧を維持する駆動方式である。
【０００５】
図２は，一般の有機ＥＬの画素回路を示す図である。図２に示すように，画素回路は，有機ＥＬ素子（ＯＬＥＤ；Ｏｒｇａｎｉｃ  Ｅｌｅｃｔｒｏ  Ｌｕｍｉｎｅｓｃｅｎｃｅ  Ｄｉｓｐｌａｙ），二つのトランジスタ（ＳＭ，ＤＭ），およびキャパシタ（Ｃｓｔ）を含む。例えば，二つのトランジスタ（ＳＭ，ＤＭ）はＰＭＯＳ型トランジスタから構成できる。
【０００６】
駆動トランジスタ（ＤＭ），電源電圧（ＶＤＤ）にソースが接続され，ゲートとソース間にキャパシタ（Ｃｓｔ）が接続されている。キャパシタ（Ｃｓｔ）は，駆動トランジスタ（ＤＭ）のゲート−ソース電圧を一定期間維持し，駆動トランジスタ（ＤＭ）は，キャパシタ（Ｃｓｔ）により維持された電圧，つまりゲートとソース間の電圧に対応する電流を出力する。スイッチングトランジスタ（ＳＭ）は，現在の走査線（Ｓｎ）からの選択信号に応じて，データ線からのデータ信号を駆動トランジスタ（ＤＭ）に伝達する。
【０００７】
有機ＥＬ素子（ＯＬＥＤ）は，カソードが基準電圧（Ｖｓｓ）に接続され，駆動トランジスタ（ＤＭ）を介して印加される電流に対応する光を放出する。ここで，有機ＥＬ素子（ＯＬＥＤ）のカソードに接続される電源（Ｖｓｓ）は，電源（ＶＤＤ）より低レベルの電圧で，グラウンド電圧などが使用できる。
【発明の開示】
【発明が解決しようとする課題】
【０００８】
有機ＥＬディスプレイのデータ電圧は，外部電圧を用いてデータ駆動部集積回路の内部にあるＤＣ／ＤＣ変換部（主に電荷ポンプ方式を使用）により生成される。このデータ電圧は，ディスプレイパネルの輝度とコントラストに影響を及ぼす。この際，外部電源の電圧降下またはノイズが発生する場合，データ電圧が揺れることにより，パネルの輝度またはコントラストに影響を与えるという問題点があった。
【０００９】
そこで，本発明は，上記問題に鑑みてなされたもので，その目的とするところは，外部電源の変動にかかわらず，データ駆動部集積回路に安定した基準電位を供給し，また外部電源の変動時にも，データ駆動部集積回路に安定した基準電位を選択的に供給し得る基準電位安定化回路を備えた発光表示装置用電源供給装置および発光表示装置を提供することにある。
【課題を解決するための手段】
【００１０】
上記課題を解決するために，本発明のある観点によれば，発光表示装置のデータ駆動部に電源を供給する電源供給装置において，外部から入力される外部電源の電圧（Ｖｃｉ）を安定化した直流基準電位（ＶＣＩＲ）に変換して出力する基準電位安定化部と，基準電位安定化部から出力される安定化した直流基準電位をデータ駆動部内に使用される複数の内部直流電源にそれぞれ変換する電圧変換部とを含んでなることを特徴とする発光表示装置用電源供給装置が提供される。
【００１１】
本発明によれば，発光表示装置のデータ駆動部に安定したデータ電圧を供給する基準電位安定化回路を備えた発光表示装置用電源供給装置によって，輝度の不均一性を防止できる発光表示装置を提供することができる。
【００１２】
上記安定化した直流基準電位を直接使用するか，または上記データ駆動部内に使用される複数の内部直流電源に変換するように，上記安定化した直流基準電位をそれぞれ分配する制御部をさらに含むことができる。
【００１３】
上記基準電位安定化部は，演算増幅器（ＯＰ−ＡＭＰ）を用いて，上記外部から入力される外部電源の電圧を安定化させることができる。
【００１４】
上記演算増幅器（ＯＰ−ＡＭＰ）は，上記データ駆動部に入力されるデータのオン／オフ電圧レベルを決定する電位電圧を調整して，単一値に固定された出力電圧を出力することができる。
【００１５】
上記基準電位安定化部は，低電圧降下（ＬＤＯ）レギュレータを用いて上記外部から入力される外部電源の電圧を安定化させることができる。
【００１６】
上記低電圧降下（ＬＤＯ）レギュレータは，出力端の内部に接続された抵抗により分配される電圧を，上記外部から入力される外部電源の電圧と比較して，単一値に固定された出力電圧を出力することができる。
【００１７】
上記課題を解決するために，本発明の別の観点によれば，画像信号に対応するデータ電圧を伝達する複数のデータ線，選択信号を伝達する複数の走査線，および走査線とデータ線に電気的に接続された複数の画素回路を含む発光表示装置において，ｎ本の走査線にそれぞれ選択信号を順次印加する走査駆動部と，ｍ本のデータ線に，画像信号に対応するデータ電圧を印加するデータ駆動部と，Ｒ，Ｇ，Ｂ信号，クロック信号，垂直同期信号および水平同期信号を制御して走査駆動部およびデータ駆動部に順次提供するパネル制御部と，走査駆動部，データ駆動部およびパネル制御部に電源を供給し，外部から入力される外部電源の電圧（Ｖｃｉ）を安定化した直流基準電位（ＶＣＩＲ）に変換し，安定化した直流基準電位をデータ駆動部内に使用される複数の内部直流電源にそれぞれ変換して出力する電源供給装置と，走査駆動部およびデータ駆動部により提供される信号，および電源供給装置により提供される電源により，ｎ×ｍ個の発光セルを駆動して映像を表示する表示パネルとを含んでなることを特徴とする発光表示装置が提供される。
【００１８】
上記課題を解決するために，本発明の他の観点によれば，発光表示装置のデータ駆動部に電源を供給する電源供給装置において，外部基準電位（ＶＣＩＲｅｘ）を供給する外部基準電位供給部と，外部から入力される外部電源（Ｖｃｉ）の電圧が変動する場合，外部電源の電圧を安定化した直流基準電位（ＶＣＩＲ）に変換して出力する基準電位発生部と，外部基準電位供給部または基準電位発生部から入力されるどちらか一つの基準電位を選択して出力する基準電位選択部と，基準電位選択部から出力される安定化した基準電位（ＶＣＩＲ′）を駆動部内に使用される複数の内部直流電源にそれぞれ変換する電圧変換部とを含んでなることを特徴とする発光表示装置用電源供給装置が提供される。
【００１９】
上記基準電位選択部から出力される上記安定化した基準電位を直接使用するか，または上記データ駆動部内に使用される複数の内部直流電源に変換するように，上記安定化した基準電位をそれぞれ分配する制御部をさらに含むことができる。
【００２０】
また，上記外部電源の電圧変動を判断する外部電源判断部をさらに含むことができる。
【００２１】
上記基準電位発生部は，演算増幅器（ＯＰ−ＡＭＰ）を用いて，上記外部から入力される外部電源の電圧を安定化させ，上記演算増幅器（ＯＰ−ＡＭＰ）は，上記データ駆動部に入力されるデータのオン／オフ電圧レベルを決定する電位電圧を調整して，単一値に固定された出力電圧を出力することができる。
【００２２】
上記基準電位発生部は，低電圧降下（ＬＤＯ）レギュレータを用いて上記外部電源を安定化させることができる。
【００２３】
上記低電圧降下（ＬＤＯ）レギュレータは，出力端の内部に接続された抵抗により分配される電圧を，上記外部から入力される外部電源の電圧と比較して，単一値に固定された出力電圧を出力することができる。
【００２４】
上記課題を解決するために，本発明の別の観点によれば，画像信号に対応するデータ電圧を伝達する複数のデータ線，選択信号を伝達する複数の走査線，および走査線とデータ線に電気的に接続された複数の画素回路を含む発光表示装置において，ｎ本の走査線にそれぞれ選択信号を順次印加する走査駆動部と，ｍ本のデータ線に，画像信号に対応するデータ電圧を印加するデータ駆動部と，Ｒ，Ｇ，Ｂ信号，クロック信号，垂直同期信号および水平同期信号を制御して走査駆動部およびデータ駆動部に順次提供するパネル制御部と，外部基準電位（ＶＣＩＲｅｘ）の入力を受けるか，あるいは外部から入力される外部電源の電圧（Ｖｃｉ）を安定化した直流基準電位（ＶＣＩＲ）に変換し，外部基準電位（ＶＣＩＲｅｘ）または安定化した直流基準電位（ＶＣＩＲ）を選択し，選択された基準電位をデータ駆動部内に使用される複数の内部直流電源にそれぞれ変換して出力する電源供給装置と，走査駆動部およびデータ駆動部により提供される信号，および電源供給装置により提供される電源により，ｎ×ｍ個の発光セルを駆動して映像を表示する表示パネルとを含んでなることを特徴とする発光表示装置が提供される。
【００２５】
本発明によれば，有機ＥＬ発光表示装置の駆動部ＩＣのデータ電圧を安定化させることにより，有機ＥＬ発光表示装置の輝度不均一性を防止することができ，駆動部ＩＣのデータ電圧を安定化した基準電位および外部基準電位から選択的に提供することにより，有機ＥＬ発光表示装置の輝度の不均一性を防止することができる。
【発明の効果】
【００２６】
以上説明したように本発明によれば，外部電源の変動にかかわらず，安定した基準電位を発光表示装置に供給することができ，また発光表示装置のデータ駆動部内部に安定した電圧を供給することにより，データ電圧の変動による輝度などの不均一性を防止することができる。
【発明を実施するための最良の形態】
【００２７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
以下，添付図面に基づいて本発明の実施形態に係る発光表示装置用電源供給装置の構成及び動作を詳細に説明する。
【００２９】
図３は，本発明の実施形態に係るＴＦＴを用いるアクティブマトリックス方式の有機ＥＬ表示パネルを示す図である。図３に示すように，有機ＥＬ表示装置は，有機ＥＬ表示パネル６００，走査駆動部４００，およびデータ駆動部５００を含む。
【００３０】
有機ＥＬ表示パネル６００は，列方向に伸びているｍ本のデータ線（Ｄ１，Ｄ２，・・・，Ｄｍ），行方向に伸びているｎ本の走査線（Ｓ１，Ｓ２，・・・，Ｓｎ），およびｎ×ｍ個の画素回路を含む。ｍ本のデータ線（Ｄ１，Ｄ２，・・・，Ｄｍ）は，画像信号を示すデータ信号を画素回路に伝達し，ｎ本の走査線（Ｓ１，Ｓ２，・・・，Ｓｎ）は，選択信号をそれぞれ画素回路に伝達する。ここで，画素回路は，隣り合った２本のデータ線（Ｄ１，Ｄ２，・・・，Ｄｍ）と隣り合った２本の走査線（Ｓ１，Ｓ２，・・・，Ｓｎ）により定義される１個の画素領域６１０に形成される。
【００３１】
走査駆動部４００は，ｎ本の走査線（Ｓ１，Ｓ２，・・・，Ｓｎ）にそれぞれ選択信号を順次印加し，データ駆動部５００は，ｍ本のデータ線（Ｄ１，Ｄ２，・・・，Ｄｍ）に画素信号に対応するデータ電圧を印加する。
【００３２】
また，走査駆動部４００および／またはデータ駆動部５００は，有機ＥＬ表示パネル６００に電気的に連結でき，あるいは有機ＥＬ表示パネル６００に接着されて電気的に連結されたテープキャリヤパッケージ（Ｔａｐｅ  Ｃａｒｒｉｅｒ  Ｐａｃｋａｇｅ：ＴＣＰ）にチップなどの形態として装着できる。例えば，有機ＥＬ表示パネル６００に接着され，電気的に連結されたフレキシブルプリント回路（Ｆｌｅｘｉｂｌｅ  Ｐｒｉｎｔｅｄ  Ｃｉｒｃｕｉｔ：ＦＰＣ）またはフィルムなどにチップなどの形態で装着されることもできる。
【００３３】
また，走査駆動部４００および／またはデータ駆動部５００は，有機ＥＬ表示パネル６００のガラス基板上に直接装着されることもでき，例えば，ガラス基板上に走査線，データ線および薄膜トランジスタと同一の層で形成された駆動回路と代替されるか，または直接装着されてもよい。
【００３４】
図４は，本発明の実施形態に係る有機ＥＬ表示装置の概略ブロック構成図である。図４に示すように，有機ＥＬ表示装置は，ビデオ制御部１００，パネル制御部２００，電源供給装置３００，走査駆動部４００，データ駆動部５００，および有機ＥＬ表示パネル６００からなる。ここで，アナログインターフェースおよびデジタルインターフェースを経たいろいろの信号がそれぞれ走査駆動部４００およびデータ駆動部５００により有機ＥＬパネル６００にそれぞれ行方向および列方向に提供される。
【００３５】
具体的に，Ｒ，Ｇ，Ｂ信号，クロック信号，水平同期信号および垂直同期信号などのいろいろのアナログ信号がビデオ制御部１００に入力されてデジタル信号に変換され，パネル制御部２００は，これらを制御して順次走査駆動部４００およびデータ駆動部５００に提供する。有機ＥＬ表示パネル６００は，走査駆動部４００およびデータ駆動部５００から提供される信号，および電源供給装置３００から入力される電源の電圧により，ｎ×ｍ個の有機発光セルを電圧駆動または電流駆動して映像を表現することになる。
【００３６】
図５は，本発明の第１実施形態に係る発光表示装置用電源供給装置の基準電位安定化回路の概略構成図である。図５に示すように，本発明の第１実施形態に係る発光表示装置用電源供給装置の基準電位安定化回路は，基準電位安定化部３１０および制御部３２０を含むことができる。
【００３７】
基準電位安定化部３１０は，例えば２．５Ｖ〜３．３Ｖの電圧範囲を有し，外部から印加される外部電源を例えば，２．０Ｖに固定させて出力することができる。
【００３８】
具体的に，基準電位安定化部３１０は，発光表示装置のデータ駆動部に電源を供給する電源供給装置において，外部から入力される外部電源の電圧（Ｖｃｉ）を安定化した基準電位（ＶＣＩＲ）に変換して出力する。ここで，外部から入力される外部電源はバッテリーから入力される外部電源入力電圧（Ｖｃｉ）である。基準電位（ＶＣＩＲ）は，直流であってよい。つまり，例えば２．５Ｖ〜３．３Ｖの電圧範囲を有する外部から入力される外部電源の電圧は，変動する可能性がある。そこで，本実施形態では，電圧変動のない安定した電位を回路内に提供するために，基準電位安定化部３１０は，例えば２．０Ｖに固定された直流基準電位（ＶＣＩＲ）を設定して安定的に供給する。
【００３９】
この際，基準電位安定化部３１０は，演算増幅器（ＯＰ−ＡＭＰ）を用いて，外部から入力される外部電源の電圧を安定化させることができ，演算増幅器（ＯＰ−ＡＭＰ）は，データ駆動部に入力されるデータのオン／オフ電圧レベルを決定する電位電圧を調整して単一値に固定された出力電圧を出力することができる。
【００４０】
また，基準電位安定化部３１０は，低電圧降下（Ｌｏｗ  Ｄｒｏｐ  Ｏｕｔ：ＬＤＯ）レギュレータにより外部電源の電圧を安定化させることができ，低電圧降下（ＬＤＯ）レギュレータは，出力端の内部に接続された抵抗により分配される電圧を外部から入力される外部電源の電圧と比較して，単一値に固定された出力電圧を出力することができる。一般に，低電圧降下（ＬＤＯ）レギュレータは，バイポーラ接合トランジスタ（ＢＪＴ；Ｂｉｐｏｌａｒ  Ｊｕｎｃｔｉｏｎ  Ｔｒａｎｓｉｓｔｏｒ）または電界効果トランジスタ（ＦＥＴ；Ｆｉｅｌｄ  Ｅｆｆｅｃｔ  Ｔｒａｎｓｉｓｔｏｒ）から構成できる。以降は，図８ａおよび図８ｂに基づいて説明する。
【００４１】
また，制御部３２０は，安定化した基準電位を直接使用するか，または駆動部内で使用される複数の内部直流電源に変換されるように，安定化した基準電位を分配することができる。この際，制御部３２０は，例えば−１４Ｖ〜１４Ｖの電圧範囲の複数の内部電源電圧を提供する直流／直流（ＤＣ／ＤＣ）変換部３３０に安定化した基準電位（ＶＣＩＲ）を提供する。実質的に，制御部３２０は，簡単な配線連結で安定化した基準電位（ＶＣＩＲ）を分配することもでき，あるいは所定の指令に応じて，安定化した基準電位（ＶＣＩＲ）を要求する多くの内部回路に分配することもできる。または，制御部３２０は，別に設計せずに直流／直流（ＤＣ／ＤＣ）変換部３３０とともに具現することもできる。
【００４２】
したがって，本発明の第１実施形態においては，外部電源の電圧が変動しても，データ駆動部集積回路に安定したデータ電圧を印加するための電圧安定化回路，例えば演算増幅器（ＯＰ−ＡＭＰ）または低電圧降下（ＬＤＯ）レギュレータによって，電圧安定化回路の出力電圧を基準電圧として使用することになる。このような構造によると，外部電源の電圧の変動にも，安定化した電源の電圧を使用してデータ電圧を補償するので，データ電圧の変動による輝度変動を防止する。
【００４３】
図６は，本発明の第１実施形態に係る発光表示装置用電源供給装置のいろいろな基準電位を電圧値レベルによって区分したものを示す図である。図６に示すように，外部電源４１０は，例えば，２．５〜３．３Ｖの外部電源の電圧（Ｖｃｉ）からなる。ここで，２．５〜３．３Ｖの外部電源の電圧（Ｖｃｉ）は，バッテリーから入力される電圧である。即ち，２．５〜３．３Ｖの外部電源の電圧（Ｖｃｉ）は，本発明の実施形態に係る基準電位安定化回路を介して，例えば，２．０ＶのＶＣＩＲに変換され，その後，２．０ＶのＶＣＩＲを基準電位として発光表示装置の内部回路のそれぞれに電源を供給することになる。図６のように，ＤＣ／ＤＣ変換部の出力４３０は，例えば−１４〜１４Ｖの範囲内でそれぞれの用途に応じて区分できる。
【００４４】
図７は，本発明の第１実施形態に係る基準電位安定化回路を有する発光表示装置用電源供給装置を示す図である。図７に示すように，本発明の第１実施形態に係る基準電位安定化回路を有する発光表示装置用電源供給装置３００は，基準電位安定化部３１０および制御回路３２０からなる電圧安定化回路３０１を含み，さらにＤＣ／ＤＣ変換部の第１ステップーアップ回路３３０ａおよび第２ステップーアップ回路３３０ｂを含む。また，ＶｄＯＵＴを使用する場合，必要なＶｄＯＵＴ出力増幅器３４０を含むこともできる。
【００４５】
ここで，基準電位安定化部３１０および制御回路３２０は，図５に基づいて説明したものと同一であるので，その詳細な説明は省略する。
【００４６】
また，外部電源の電圧（Ｖｃｉ）は，バッテリーから入力される外部電位で，それぞれツェナーダイオードを介して所定電圧に設定されるが，前述したように，例えば，２．５Ｖ〜３．３Ｖの電圧範囲を有するため，ノイズまたは漏洩電流により，供給される外部電源の電圧の品質が悪くなることがある。この場合，基準電位安定化回路により固定された電圧値として出力される基準電位を使用しなければならない。
【００４７】
また，ＤＣ／ＤＣ変換部の第１ステップーアップ回路３３０ａおよび第２ステップーアップ回路３３０ｂは，図６に示すようにいろいろの内部電源にそれぞれ変換するためのもので，例えば−１４Ｖ〜１４Ｖの電圧範囲を有する複数の内部電源電圧を提供することができる。
【００４８】
図８ａおよび図８ｂは，本発明の第１実施形態に係る基準電位安定化部３１０の一例である低電圧降下（ＬＤＯ）レギュレータ３１０’から具現される発光表示装置用電源供給装置の基準電位安定化回路を示す図である。
【００４９】
図８ａは，一般のＬＤＯレギュレータ３１０’を備えた基準電位安定化回路を概略的に示す図である。低電圧降下（ＬＤＯ）レギュレータは，出力端の内部に接続された抵抗により分配される電圧を，外部から入力される外部電源の電圧と比較して，単一値に固定された出力電圧を出力することができる。ここで，Ｃｉｎは入力キャパシタを示し，ＣＬは出力キャパシタを示す。
【００５０】
図８ｂは，ＬＤＯレギュレータ３１０’の内部構成図である。このＬＤＯレギュレータ３１０’は，オン／オフ制御部３１１，エラー増幅器３１２，電流制限部３１３，基準電位発生部３１４，二つの直列抵抗Ｒ１，Ｒ２，およびＮＭＯＳトランジスタＱ１を含むことができる。即ち，出力端の内部に接続された抵抗（Ｒ１，Ｒ２）により分配される電圧を外部電源の電圧と比較して，固定された出力電圧を出力するものである。ここで，Ｖｉｎは入力信号，Ｖｏｕｔは出力信号，Ｖｓｓは接地電圧を示し，ＣＥは出力される電圧のオン／オフを制御するためのイネーブル信号を示す。このようなＬＤＯレギュレータ３１０’が図８ｂに示す構成に限定されなく，多様に設計可能なことは当業者に自明である。即ち，図８ｂの構成そのほかのいろいろの構成を有するＬＤＯを使用することができる。
【００５１】
図９は，本発明の第２実施形態に係る発光表示装置用電源供給装置の基準電位選択回路の概略構成図である。図９に示すように，本発明の第２実施形態に係る発光表示装置用電源供給装置の基準電位選択回路は，外部基準電位供給部７３０，基準電位発生部７１０，基準電位選択部７２０，外部電源判断部７４０，および制御部７５０を含むことができる。
【００５２】
外部基準電位供給部７３０は，外部基準電位（ＶＣＩＲｅｘ）を供給する。
【００５３】
基準電位発生部７１０は，外部から入力される外部電源（Ｖｃｉ）の電圧が変動する場合，即ち外部電源の電圧変動が複数の内部電源を安定的に供給するのに影響を及ぼす場合，外部電源の電圧を安定化した直流基準電位（ＶＣＩＲ´）に変換して出力することができる。ここで，直流基準電位（ＶＣＩＲ´）は，外部電源が安定化された電位である場合に基準電位発生部７１０から出力される直流基準電位，または外部電源が安定化されず基準電位を使用する場合に基準電位発生部７１０から出力される直流基準電位の双方を含む。
【００５４】
基準電位発生部７１０は，例えば，２．５Ｖ〜３．３Ｖの電圧範囲を有し，外部から印加される外部電源の電圧を例えば，２．０Ｖに固定して出力することができる。
【００５５】
具体的に，基準電位発生部７１０は，発光表示装置のデータ駆動部に電源を供給する電源供給装置において，外部から入力される外部電源の電圧（Ｖｃｉ）を安定化した直流基準電位（ＶＣＩＲ´）に変換して出力する。ここで，外部から入力される外部電源の電圧（Ｖｃｉ）は，バッテリーから入力される外部電源入力電圧である。
【００５６】
この際，基準電位発生部７１０は，演算増幅器（ＯＰ−ＡＭＰ）を用いて，外部から入力される外部電源の電圧を安定化させることができ，演算増幅器（ＯＰ−ＡＭＰ）は，データ駆動部に入力されるデータのオン／オフ電圧レベルを決定する電位電圧を調整して単一値に固定された出力電圧を出力することができる。
【００５７】
また，基準電位発生部７１０は，低電圧降下（Ｌｏｗ  Ｄｒｏｐ  Ｏｕｔ：ＬＤＯ）レギュレータにより基準電位を安定化させることができ，低電圧降下（ＬＤＯ）レギュレータは，出力端の内部に接続された抵抗により分配される電圧を，外部から入力される外部電源の電圧と比較して，単一値に固定された出力電圧を出力することができる。一般に，低電圧降下（ＬＤＯ）レギュレータは，バイポーラ接合トランジスタ（ＢＪＴ；Ｂｉｐｏｌａｒ  Ｊｕｎｃｔｉｏｎ  Ｔｒａｎｓｉｓｔｏｒ）または電界効果トランジスタ（ＦＥＴ；Ｆｉｅｌｄ  Ｅｆｆｅｃｔ  Ｔｒａｎｓｉｓｔｏｒ）から構成できる。
【００５８】
また，基準電位選択部７２０は，外部基準電位供給部７３０または基準電位発生部７１０から入力されるどちらか一つの基準電位を選択して出力することができる。
【００５９】
外部電源判断部７４０は，外部電源の電圧変動状態を判断する。外部電源判断部７４０は，例えば０または1の値を有する外部基準電位判断信号（ＶＣＩＲ＿ＥＸ）を基準電位選択部７２０に供給する。例えば，外部基準電位判断信号（ＶＣＩＲ＿ＥＸ）のアドレスが０であると，内部基準電位発生モードを実行して，外部電源（Ｖｃｉ）から安定した基準電位（ＶＣＩＲ）を発生させる。一方，外部基準電位判断信号（ＶＣＩＲ＿ＥＸ）を示す信号のアドレスが１であると，外部電源の電圧を調整して基準電位（ＶＣＩＲ）として使用，結局基準電位選択部７２０により選択された基準電位（ＶＣＩＲ′）として出力される。
【００６０】
また，制御部７５０は，安定化した基準電位を直接使用するか，または駆動部内で使用される複数の内部直流電源に変換されるように，安定化した基準電位を分配することができる。この際，制御部７５０は，例えば−１４Ｖ〜１４Ｖの電圧範囲の複数の内部電源電圧を提供する直流／直流（ＤＣ／ＤＣ）変換部７６０に安定化した基準電位（ＶＣＩＲ′）を提供することができる。実質的に，制御部７５０は，簡単な配線連結で安定化した基準電位（ＶＣＩＲ′）を分配することもでき，あるいは所定の指令に応じて，安定化した基準電位（ＶＣＩＲ′）を要求する多くの内部回路に分配することもできる。または，制御部７５０は別に設計せずに直流／直流（ＤＣ／ＤＣ）変換部７６０とともに具現することもできる。
【００６１】
したがって，本発明の第２実施形態においては，外部電源の電圧が変動しても，データ駆動部集積回路に安定したデータ電圧を印加するための電圧安定化回路，例えば演算増幅器（ＯＰ−ＡＭＰ）または低電圧降下（ＬＤＯ）レギュレータによって，電圧安定化回路の出力電圧を基準電圧として使用することになる。このような構造によると，外部電源の電圧の変動にも安定化した電源の電圧を使用してデータ電圧を補償するので，データ電圧の変動による輝度変動を防止することができる。
【００６２】
図１０は，本発明の第２実施形態に係る基準電位選択回路を有する発光表示装置用電源供給装置を示す図である。図１０に示すように，本発明の第２実施形態に係る基準電位選択回路を有する発光表示装置用電源供給装置７００は，基準電位発生部７１０，基準電位選択部７２０，および制御部７５０からなる電圧選択回路７０１を含み，さらにＤＣ／ＤＣ変換部の第１ステップーアップ回路７６０ａおよび第２ステップーアップ回路７６０ｂを含む。また，ＶｄＯＵＴを使用する場合，必要なＶｄＯＵＴ出力増幅器７７０を含むこともできる。
【００６３】
図１０のように，基準電位発生部７１０は，外部から入力される外部電源の電圧（Ｖｃｉ）が変動する場合，外部電源を安定化した直流基準電位（ＶＣＩＲ）に変換し，基準電位選択部７２０は，外部基準電位供給部７３０または基準電位発生部７１０から入力されるどちらか一つの基準電位を選択してＶＣＩＲ′として出力する。ここで，基準電位発生部７１０，基準電位選択部７２０，および制御部７５０は，図９に基づいて説明したものと同一であるので，その詳細な説明は省略する。
【００６４】
また，外部電源の電圧（Ｖｃｉ）はバッテリーから入力される外部電位で，それぞれツェナーダイオードを介して所定電圧に設定されるが，前述したように，例えば，２．５Ｖ〜３．３Ｖの電圧範囲を有するため，ノイズまたは漏洩電流により，供給される外部電源の電圧の品質が悪くなることがある。この場合，基準電位選択回路により固定された電圧値として出力される基準電位を使用しなければならない。
【００６５】
また，ＤＣ／ＤＣ変換部の第１ステップーアップ回路７６０ａおよび第２ステップーアップ回路７６０ｂは，図６に示すようにいろいろの内部電源にそれぞれ変換するためのもので，例えば−１４Ｖ〜１４Ｖの電圧範囲を有する複数の内部電源電圧を提供することができる。
【００６６】
以上のような本発明の第１実施形態および第２実施形態によると，発光表示装置のデータ駆動部の内部に安定した電圧を供給することにより，データ電圧の変動による輝度などの不均一性を防ぐことができる。
【００６７】
また，本発明の実施形態によると，安定化した基準電位および外部基準電位のうちで，安定した電圧を発光表示装置のデータ駆動部の内部に選択的に供給することにより，データ電圧の変動による輝度などの不均一性を防ぐことができる。
【００６８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００６９】
【図１】有機ＥＬの発光原理を示す図である。
【図２】一般の有機ＥＬの画素回路を示す図である。
【図３】本発明の実施形態に係る薄膜トランジスタ（ＴＦＴ）を用いるアクティブマトリックス方式の有機ＥＬ表示パネルを示す図である。
【図４】本発明の実施形態に係る有機ＥＬ表示装置の概略ブロック構成図である。
【図５】本発明の第１実施形態に係る発光表示装置用電源供給装置の基準電位安定化回路の概略構成図である。
【図６】本発明の第１実施形態に係る発光表示装置用電源供給装置のいろいろの基準電位を電圧値レベルによって区分したものを示す図である。
【図７】本発明の第１実施形態に係る基準電位安定化回路を有する発光表示装置用電源供給装置を示す図である。
【図８ａ】本発明の実施形態に係る低電圧降下レギュレータを備えた発光表示装置用電源供給装置の基準電位安定化回路を概略的に示す図である。
【図８ｂ】図８ａの低電圧降下レギュレータの内部構成図である。
【図９】本発明の第２実施形態に係る発光表示装置用電源供給装置の基準電位選択回路の概略構成図である。
【図１０】本発明の第２実施形態に係る基準電位選択回路を有する発光表示装置用電源供給装置を示す図である。
【符号の説明】
【００７０】
１００      ビデオ制御部
２００      パネル制御部
３００      電源供給装置
３０１      電圧安定化回路
３１０      基準電位安定化部
３１０’      ＬＤＯレギュレータ
３１１      オン／オフ制御部
３１２      エラー増幅器
３１３      電流制限部
３１４      基準電位発生部
３２０      制御部
３３０      直流／直流（ＤＣ／ＤＣ）変換部
３３０ａ      第１ステップ−アップ回路
３３０ｂ      第２ステップ−アップ回路
３４０      ＶｄＯＵＴ出力増幅器
４００      走査駆動部
４１０      外部電源
４３０      ＤＣ／ＤＣ変換部の出力
５００      データ駆動部
６００      有機ＥＬ表示パネル
６１０      画素領域
７００      発光表示装置用電源供給装置
７０１      電圧選択回路
７１０      基準電位発生部
７２０      基準電位選択部
７３０      外部基準電位供給部
７４０      外部電源判断部
７５０      制御部
７６０      直流／直流（ＤＣ／ＤＣ）変換部
７６０ａ      第１ステップ−アップ回路
７６０ｂ      第２ステップ−アップ回路
７７０      ＶｄＯＵＴ出力増幅器
【図１】
2005338838.tif 000003
【図２】
2005338838.tif 000004
【図３】
2005338838.tif 000005
【図４】
2005338838.tif 000006
【図５】
2005338838.tif 000007
【図６】
2005338838.tif 000008
【図７】
2005338838.tif 000009
【図８ａ】
2005338838.tif 000010
【図８ｂ】
2005338838.tif 000011
【図９】
2005338838.tif 000012
【図１０】
2005338838.tif 000013